(57)【特許請求の範囲】
【請求項１】
複数の基地局を有するワイヤレスネットワーク内のワイヤレス端末にページングを実行する方法であって、
第１基地局を第１ページングエージェントとしてワイヤレス端末に割り当てるステップ、
ワイヤレス端末に対して第１ページングエリアを割り当てるステップであって、前記第１ページングエリアが第１ページングエージェントと前記第１ページングエージェントからの第１の所定のハンドオフ回数内にある前記基地局の１つを含む、ステップ、
前記ワイヤレス端末が前記第１ページングエリア外に移動したときに第２ページングエージェントを前記ワイヤレス端末に割り当てるステップであって、前記第２ページングエージェントが、前記ワイヤレス端末が前記第１ページングエリアの外側にあると最初に確認したときに、通信用に最適な信号を有する基地局である、ステップ
からなる方法において、
前記第２ページングエージェントが、該第２ページングエージェントの所定のハンドオフ回数内の基地局のセットを含む第２ページングエリアを規定し、
前記第２ページングエリアの形成が、
前記第２基地局において、前記第２基地局に隣接する少なくとも１つの基地局に関する情報を、前記最初のワイヤレス端末となり得るが必ずしもそうである必要はない少なくとも１つのワイヤレス端末から受信するステップ、
前記第２ページングエージェントにおいて、前記第１ページングエージェントとなり得るが必ずしもそうである必要はない少なくとも１つの他のワイヤレス基地局から情報を受信するステップであって、該情報が該他の基地局に隣接する基地局を示すものである、ステップ、及び
どの基地局が前記第２ページングエージェントからの所定のハンドオフ回数内にあるかを、前記少なくとも１つのワイヤレス端末及び前記少なくとも１つの他のワイヤレス基地局から受信した情報に関連して判断するステップ
からなることを特徴とする方法。
【請求項２】
請求項１記載の方法であって、さらに、前記第２ページングエージェントからの所定のハンドオフ回数内にあると判断された基地局の表示を前記第２ページングエリアに送信するステップからなる方法。
【請求項３】
ワイヤレス基地局に対するページングエリアを形成するための方法であって、
前記基地局において、少なくとも１つのワイヤレス端末から前記基地局に隣接する少なくとも１つの基地局に関する情報を受信するステップ、
前記基地局において、少なくとも１つの他のワイヤレス基地局から情報を受信するステップであって、該情報が前記他の基地局に隣接する基地局を示している、ステップ、及び
どの基地局が前記基地局からの所定のハンドオフ回数内にあるかを、前記少なくとも１つのワイヤレス端末及び前記少なくとも１つの他のワイヤレス基地局から受信した情報に関連して決定するステップ
からなる方法。
【請求項４】
請求項３記載の方法であって、さらに、前記基地局からの所定のハンドオフ回数内にあると決定された基地局の表示を、ページングエリアとして使用するためにワイヤレス端末に送信するステップからなる方法。
【請求項５】
請求項３記載の方法であって、さらに、前記基地局からの所定のハンドオフ回数内にあると決定された基地局の表示を、前記基地局から、ページングエリアとして使用するためにワイヤレス端末に送信するステップからなる方法。
【請求項６】
請求項３記載の方法であって、さらに、前記決定された基地局のリストを、ページングエリアとして使用するためにワイヤレス端末に送信するステップからなる方法。
【請求項７】
複数のワイヤレス基地局を有するワイヤレスネットワークにおいてワイヤレス端末との接続に使用する方法であって、
前記ワイヤレス端末がページングエージェントとしての第１のベース基地局によってサービスを受けるときに、第１の基地局から第１のページングエリアの表示を受信するステップ、
その後前記ワイヤレス端末がページングエージェントとしての第２の基地局によってサービスを受けるときに、第２のページングエリアの表示を受信するステップ、及び
さらにその後前記ワイヤレス端末がページングエージェントとしての前記第１の基地局によってサービスを受けるときに、前記第１の基地局から第３のページングエリアの表示を受信するステップ
からなり、前記第１のページングエリアの割当て時に前記第１の基地局からの所定のハンドオフ回数内にある基地局の数が、前記第３のページングエリアの割当て時に前記第１の基地局からの所定のハンドオフ回数内にある基地局の数と異なることに起因して、前記第１のページングエリアと前記第３のページングエリアとが異なる方法。
【請求項８】
請求項７記載の方法において、前記第１のページングエリアの割当ての時と前記第２のページングエリアの割当ての時の間の少なくとも一部分の時間に対して前記ワイヤレス端末が休止モードであったことを特徴とする方法。
【請求項９】
請求項７記載の方法において、前記第２のページングエリアの割当ての時と前記第３のページングエリアの割当ての時の間の少なくとも一部分の時間に対して前記ワイヤレス端末が休止モードであったことを特徴とする方法。
【請求項１０】
複数のワイヤレス基地局を有するワイヤレスネットワークにおいてワイヤレス端末との接続に使用する方法であって、
前記ワイヤレス端末がページングエージェントとしての第１のベース基地局によってサービスを受けるときに、第１の基地局から第１のページングエリアの表示を受信するステップ、
その後前記ワイヤレス端末がページングエージェントとしての第２の基地局によってサービスを受けるときに、第２のページングエリアの表示を受信するステップ、及び
さらにその後前記ワイヤレス端末がページングエージェントとしての前記第１の基地局によってサービスを受けるときに、前記第１の基地局から第３のページングエリアの表示を受信するステップ
からなり、前記第１のページングエリアの時と前記第３のページングエイらの時の間に前記第１の基地局が再設定されたことに起因して、前記第１のページングエリアと前記第３のページングエリアとが異なる方法。
【請求項１１】
請求項１０記載の方法において、前記第１のページングエリアの割当ての時と前記第２のページングエリアの割当ての時の間の少なくとも一部分の時間に対して前記ワイヤレス端末が休止モードであったことを特徴とする方法。
【請求項１２】
請求項１０記載の方法において、前記第２のページングエリアの割当ての時と前記第３のページングエリアの割当ての時の間の少なくとも一部分の時間に対して前記ワイヤレス端末が休止モードであったことを特徴とする方法。
【発明の詳細な説明】
【０００１】
【発明の属する技術分野】
本発明はワイヤレス通信に関し、特にワイヤレス端子のページングを効率的に行うシステムに関する。
【０００２】
【従来の技術】
従来のワイヤレスシステムは、スリーピングとして知られる技術を採用している。このスリーピングという技術は、ページングと称する技術と組み合わせて、ある期間ワイヤレス端末が活性の通信状態にはない例えば、呼びが入った状況にはないと予測されているときに資源を節約する。例えば、パワー及び／又は帯域を節約するものである。ワイヤレス端末が活性通信状態にいると予測されないと決定された時間帯（期間）は、従来の過去の活動披瀝（例えばワイヤレス端末が所定の期間は活性状態で通信していない）というものに比例する関数である。ワイヤレス端末が活性通信状態にあるとは予測されないときには、ワイヤレス端末は「スリープ」モードに入り、このモードにおいてはワイヤレス端末の受信器と送信器がパワーの消費を大幅に削減している。例えば、あるシステムにおいては、このスリープ時間（モード）の間は受信器と送信器の両方とも電源が切られている。
【０００３】
ワイヤレス端末は、スリープモードに入る前に特別なページングチャネルと時間が割り当てられる。このページングチャネルは、少なくとも論理チャネルであり（物理チャネルでもよい）ページを通信する。即ち、ページングメッセージを通信するのに用いられる。割り当てられた時間においては、ワイヤレス端末の「ウェイクアップ」は受信器を割り当てられたページングチャネルに同調させ、ワイヤレス端末へのページ（これはワイヤレス端末の識別子の単なる伝送）が存在するか否かを見るために受信機が受信状態にある。ページが存在する場合にはページは、ワイヤレス端末に通信されるべきメッセージの全体を含んでおらず、その後ワイヤレス端末はチャネル（ワイヤレス端末に予め通知されているか或いは、ページの一部として特定されている）に同調させ、メッセージを受領するために適宜の情報交換を行う。
【０００４】
ワイヤレス端末がスリープモードにある場合でも、ワイヤレス端末は移動することができる。その結果、その位置はスリープモードに入る前に通信していた基地局ではない別の基地局からより良好な信号が得られるようになることもある。
基地局を変えると、ワイヤレス端末は「ハンドオフ」を行うことが期待され、これにより新たな基地局に接触し、そしてワイヤレス端末にサービスするような準備が行われる。しかし、このようなハンドオフは電力を消費し、データトラフィックを搬送するために用いられるべきシステムの資源を用いることになる。このような欠点を回避するために従来のシステムは、「ページングエリヤ」を規定し、この中においてはスリープモードのワイヤレス端末はハンドオフを行わないようにしている。その代わりにページングエリヤ内にある全ての基地局はワイヤレス端末に向かってページを同報通信（放送）する。その後、ワイヤレス端末は自分の受信器がページング領域内にあり、通信する最適の信号を有する基地局に合わせる。中央のコントローラーはワイヤレス端末がその中にあるページング領域の追跡を維持する。
【０００５】
従来の基地局は自分が属するページングエリヤの識別子を同報通信する。ワイヤレス端末がページングエリヤを出た場合には、ワイヤレス端末は以前に受信していたものと、現在受信しているページングエリヤの識別子の差を識別することにより、ワイヤレス端末がページングエリヤを出たことを検出する。その後、通信している最適の信号を有する基地局へのハンドオフを実行し、新たなページングエリヤに加わる。中央コントローラーは、その後ワイヤレス端末用の将来のメッセージをその新たなページングエリヤ内に経路指定する。
【０００６】
【発明が解決しようとする課題】
従来のワイヤレスシステムは、ページングエリヤのマップを予め知っている必要がある。通常このような情報はコストが高い。その理由はネットワークを構築する前にシステムエンジニアリングあるいは、システムプラニングを行う間に情報を開発しなければならないからである。同時にまた、ページングエリヤの境界が固定しているために、あるページングエリヤの端部にある基地局は、ページングモードのワイヤレス端末のハンドオフにより負荷が高くなり、その結果通常のデータトラフィックに対するキャパシティが低減することになる。
【０００７】
【課題を解決するための手段】
前記課題であるワイヤレスシステムのコストを大幅に低減し、且つ性能を上げることは、本発明のダイナミックなワイヤレス端末ベースのページングエリヤの割り当て方法を用いて達成できる。ネットワークアーキテクチャが基地の場合に本発明の技術を用いることは可能であるが、さらにコストを低下するためにマップの少なくとも一部即ち、近隣の基地局のパターンがページングエリヤとして用いるために発見され、更新されるようなワイヤレス端末の制御によるハンドオフプロセスを用いる。このような自己発見型のネットワーク構成は、米国特許出願（Davies-Vanderveen  １−５）に開示されている。同米国出願に開示された構成においては、ローカルマップ全体を見い出すために、近隣の基地局に対する少なくとも１回のハンドオフが行われる。ネットワークアーキテクチャのマップが既知となると、ワイヤレス端末の初期基地局と整合したページングエリヤが、本発明によりダイナミックに創設される。好ましいことに、固定されたページングエリヤの境界は存在しないために、ページングのハンドオフは基地局間に比較的均一に拡散して、このため固定したページングエリヤの境界により引き起こされる基地局の負荷の問題を回避できる。
【０００８】
さらに具体的に説明すると、ハンドオフプロセスの一部としてワイヤレス端末は、自分がこれから呼びをハンドオフする新たな基地局に対し、制御がハンドオフされた前の基地局の識別子を通知する。新たな基地局が前の基地局に対する有効な記録を有していない場合には、新たな基地局は前の基地局と信頼できる関係を形成して、それに対する記録を創設し、斯くして、それを隣接する近傍として特定する。更にまた、両方の基地局は、自分自身に自分が知っている他の基地局のリストを交換し、好ましくはこれらの他の基地局は、リストを与える基地局の１つよりも少ない所定の回数のハンドオフ内に入るという条件で行われる。例えば、２回のハンドオフの距離は、基地局Ａから基地局Ｃに移行する際に、ワイヤレス端末はＡからＢにハンドオフし、その後ＢからＣにハンドオフして、斯くして、全体で２回のハンドオフが行われる。このためリストを受領する基地局は、受領する基地局の所定回数のハンドオフ内に入る全ての基地局を知っている。受領中の基地局の内のリストを供給する基地局が知っている。
【０００９】
ワイヤレス端末は電源を入れた後、そのセッションを開始するとワイヤレス端末は第１の基地局と接続を形成する。この第１基地局は、第１基地局にとって公知であり、且つ第１基地局の所定の回数のハンドオフ内に入る全ての基地局のリストをワイヤレス端末に渡す。ワイヤレス端末はこのリストを用いて自分自身の「パーソナル（固有の）」なページングエリヤを規定する。斯くして、この所定回数は大まかな言い方をすれば、ハンドオフの回数を単位として測定されたワイヤレス端末固有のページングエリヤ半径に対応する。ワイヤレス端末がスリープ状態から覚める毎に、ワイヤレス端末は通信するのに最適な信号を有する基地局を探して聞き、その基地局の識別子を固有ページングエリヤ内の基地局のリストと比較する。通信用の最適信号を有する基地局がリスト上にある場合には、ワイヤレス端末に対するページングメッセージは、自動的に通信用の最適信号を有する基地局により同報通信される。基地局がリスト上にない場合には、ワイヤレス端末はこの基地局に対しハンドオフを実行し、その結果新たなこの基地局からその基地局を中心とした、新たな固有ページングエリヤを確保する。このようなハンドオフは、ワイヤレス端末がセッションを開始した初期の場所がランダムであり、そしてワイヤレス端末のカバレッジエリヤ内を移動している間、システム全体にハンドオフはランダムに分散される。
【００１０】
基地局はワイヤレス端末と、最も最後にハンドオフ状態になるか、あるいはハンドオフが実行されない場合にはセッションを開始したものとハンドオフ状態になるか、そしてワイヤレス端末に対しページングエージェントとして機能する。
ネットワーク内のどこからでも発信されたメッセージは、ページングエージェントに転送され、ワイヤレス端末に分配される。その後、ページングエージェントの所定の回数のハンドオフ内に入る全ての既知の基地局に対し、ワイヤレス端末にページングするよう指示を与える。ワイヤレス端末はページを聞いている間、通信用に最適な信号を有する基地局と接続を形成する。通信用に最適な信号を有する基地局は、ページングエージェントに対しページングエージェントはワイヤレス端末との接続を確立し、ページングモードを出て活性状態になるよう通知する。
【００１１】
【発明の実施の形態】
図１は本発明によるネットワーク構成を表す。同図には、（ａ）ワイヤレス端末１０１と、（ｂ）基地局１０３−１から１０３−Ｎを含むＮ個の基地局１０３と、ここでＮは、２以上の整数である、（ｃ）アンテナ１０５−１から１０５−Ｎを含むの個のアンテナ１０５と、（ｄ）構造物１０７−１から１０７−Ｎを含むＮ個の構造物１０７と、（ｅ）セル１０９−１から１０９−Ｎを含むＮ個のセル１０９と、（ｆ）ネットワーク１１１と、（ｇ）基地局認証ユニット１１３と、（ｈ）通信リンク１１５−１からリンク１１５−Ｎを含むＮ個の通信リンク１１５と、（ｉ）通信リンク１１７、通信リンク１２１と、（ｊ）セキュリティセンタ１１９とが示されている。
【００１２】
ワイヤレス端末１０１は、複数の基地局と通信でき、この基地局は検出可能な十分な信号強度でもって信号を送信し、ワイヤレス端末１０１の現在の位置で通信できる。十分な強度の信号が特定の基地局に対し検出されると、ワイヤレス端末１０１はその基地局と通信を行う。ワイヤレス端末１０１により採用されたワイヤレス（無線）リンクとプロトコル、すなわちエアインタフェースの種類は、本発明にとって本質的要素をなすものではないが、ワイヤレス端末１０１により採用される無線リンクとプロトコルは、基地局１０３に採用されるのと同一のものでなければならないが、当業者の必要により、いかなる種類のものでも良い。
【００１３】
ワイヤレス端末１０１は複数の基地局と通信を行うことができる。例えばワイヤレス端末１０１は、単一の受信器であり、ワイヤレス端末１０１が信号を受信すると、それに現在サービスしている基地局との情報交換で占有されていない場合には、ワイヤレス端末１０１に到達するのに十分な強度の信号を有する他の基地局から信号を受信することができる。別の構成例として、ワイヤレス端末１０１は、複数の基地局から同時に、例えばワイヤレス端末１０１内の複数の並列受信器を採用することにより信号を受信することができる。さらにまた別の構成例として、ワイヤレス端末１０１は、複数の受信器であるが、受信器の数はワイヤレス端末１０１が、その現在いる場所で十分な強度の信号を受信できる基地局の数以下であり、その結果ワイヤレス端末１０１は、ある基地局からの信号を得るために、その受信器の少なくとも１つに対し走査を実行する必要がある。
【００１４】
基地局１０３は、以下の説明を除いて従来の基地局である。まず第１に基地局１０３は、基地局間通信に対し専用ネットワークに接続される必要はない。その代わりに基地局１０３は、共有公衆ネットワーク、例えばインターネットのようなＩＰベースのネットワークを採用することができる。第２に、各基地局１０３は、「マップ」情報を含む必要がない。その代わりに各基地局１０３は、「マップ」情報の必要な部分のみを発見することができればよい。好ましくは、基地局１０３は小さなスペースに容易に組み込むことのできる小さな基地局である。例えば、専用の構造およびサイトを準備するのではなく、すでに利用可能なスペースに組み込まれた基地局である。好ましいことにこのような小型化は、「マップ」情報の必要な部分を見いだす機能と共に、新たなワイヤレス通信ネットワークの早急な構築が可能となる。さらにまたこのようなワイヤレス通信ネットワークは、そのアーキテクチャーがフレキシブルである、すなわち基地局は容易に追加、あるいは取り外すことができ、そしてさらにはまたそれを維持することも容易である。
【００１５】
各アンテナ１０５は、基地局１０３のそれぞれに接続されている。アンテナ１０５は、それぞれの基地局１０３により生成された信号を放射する。基地局１０３の１つとアンテナ１０５とそれに対応する１つの各組合せが、セル１０９の１つを生成する。図１のセル１０９の形状は、実際のセルの形状を示してはおらず、単にセルに対する従来の概念を示したに過ぎない。実際の様々なセル１０９の形状は全て異なる。
【００１６】
各構造物１０７は、１つあるいは複数の基地局１０３を配置するための設備を有する。さらにまた構造物１０７は、アンテナ１０５を搭載する場所を提供する。例えばある構造物１０７は、１つの基地局１０３が未使用の場所に配置され、１つのアンテナ１０５が外部から取り付けられる既存の家である。
【００１７】
通信リンク１１７は、互いに通信する、および基地局認証ユニット１１３、セキュリティセンタ１１９と通信するための通信路を、基地局１０３に対し提供する。ネットワーク１１１は、様々なサブネットワークから構成される。さらにまた様々なサブネットワークは、異なる種類および異なるプロトコルを採用することも可能である。本発明の一実施例においては、ネットワーク１１１はパケットベースのネットワーク、例えばＡＴＭネットワーク、あるいはＩＰネットワークである。
【００１８】
各基地局１０３は、ネットワーク１１１にそれぞれ通信リンク１１５の１つを介して接続される。この通信リンク１１５はネットワーク１１１の一部とみなすことができる。例えば、ネットワーク１１１あるいは少なくともそのサブネットワークはＩＰネットワークであり、１つの基地局１０３は家である構造物１０７内に配置される。通信リンク１１５はインターネット接続であり、例えばケーブルテレビのライン、あるいは家から屋外への接続を介して行われるもので、これは他の基地局との通信を行う基地局により、あるいはインターネットのブラウジングを行うための家の所有者により共有される。
【００１９】
基地局認証ユニット１１３は、全て有効な基地局１０３のリストとそれに関連する情報、例えば基地局のセキュリティキーと別の識別子とあるいはアドレスを含む。基地局認証ユニット１１３にあげられた基地局は、どの地点のものでも良い。しかし基地局は基地局認証ユニット１１３内のリストにあげられた場合のみ有効となる。同図には１つの装置としてしか示していないが、実際には基地局認証ユニット１１３はいくつかのパーツから構成され、これらは必ずしも地理的に同じ場所にある必要はない。さらにまた信頼性および性能を改善するために、基地局認証ユニット１１３の様々なパーツ、あるいは機能の一部あるいはすべてを複製することもできる。
【００２０】
基地局認証ユニット１１３はネットワーク１１１に通信リンク１１７を介して接続される。基地局認証ユニット１１３が複数のパーツから構築されている場合、あるいは複製されている場合には、通信リンク１１７は、ネットワーク１１１と様々なパーツとの間の必要な通信パスをカバーするものとして解釈できる。
【００２１】
セキュリティセンタ１１９は、サービスされている全ての有効ワイヤレス端末のリストを含む。さらにまた、セキュリティセンタ１１９はセキュリティ情報、例えば認証、チャレンジ−応答対および／または各ワイヤレス端末に関連する暗号化キーを含む。セキュリティ情報は、必要によってはセキュリティセンタ１１９により基地局１０３に分配される。ワイヤレス端末はどの場所でも１１０内にリストアップすることができる。しかしワイヤレス端末は、セキュリティセンタ１１９内のリストに載ったとき初めて有効となる。図では１つの装置として示されているが、実際にはセキュリティセンタ１１９は数個のパーツから組み合わされ、これらのパーツは必ずしも地理的に同一場所にある必要はない。さらにまた信頼性と性能を改善するために、セキュリティセンタ１１９の様々なパーツ、あるいは機能の一部、あるいはすべては複製することができる。
【００２２】
セキュリティセンタ１１９はネットワーク１１１に通信リンク１２１を介して接続される。セキュリティセンタ１１９が複数のパーツから構築されている場合、あるいは複製されている場合には、通信リンク１２１は、ネットワーク１１１と様々なパーツとの間の必要な通信パスをカバーするものとして解釈できる。
【００２３】
図２は、本発明によりページングエリヤを定義及び再定義するためのフローチャートを表す。本発明のプロセスは、ステップ２０１で開始する。（ａ）例えばワイヤレス端末１０１は、まず電源がパワーアップし（電源が入り）、（ｂ）現在の基地局、例えば基地局１０３−１の範囲内にあり、（ｃ）ユーザー情報が活性モードで通信されていないために、ページングモードに入ったときに開始する。ワイヤレス端末が複数の基地局の範囲内にある場合には、通信用に最適な信号を有する基地局が現基地局となる。ステップ２０３においてこの現基地局、例えば基地局１０３−１が本発明によりワイヤレス端末のページングエージェントとなる。次にステップ２０５でこのページングエージェントは、ページングエリヤリストをワイヤレス端末に送信する。前述したようにページングエリヤリストは、現在の現基地局に既知であり、第１基地局からの所定の回数のハンドオフ内に入る全ての基地局のリストである。ワイヤレス端末はステップ２０７でスリープモードに入る。
【００２４】
ワイヤレス端末がスリープモードに入った後はいつでもメッセージはワイヤレス端末のページングエージェントに到達することが可能となる。到達した場合、ステップ２０９でページングエージェントは、ページングエリヤの基地局に対しワイヤレス端末にページを送信するよう指示する。ページは特定の時間内でページングエリヤ内の各基地局により繰り返し送信される。
【００２５】
（１）特定のワイヤレス端末に対し、（２）唯一システムの関数でもあり、（３）当業者が直接規定した期間の後、（ａ）スリープ中に移動した場合には現在の位置を、（ｂ）それに対するページングが存在するか否かを決定するために、ワイヤレス端末がステップ２１１でウェイクアップする。このため、ワイヤレス端末は通信用に最適な信号を有する基地局に同調する。
【００２６】
条件ブランチポイント２１３で、ワイヤレス端末はウェイクアップしたときに同調していた基地局からページを受領しているか否かを決定するためにテストする。ステップ２１３のテスト結果がＮＯの場合は、ページはワイヤレス端末がウェイクアップしたときに同調した基地局から受信してないことを示し、制御はステップ２１５に進む。ここでワイヤレス端末はステップ２０５で割り当てられた即ち、ワイヤレス端末がスリープ状態に入る前に割り当てられたページング領域と、同調しているか否かを決定するためにワイヤレス端末はテストする。これは、ステップ２０５でワイヤレス端末が受信したページングエリヤリストに対し、ウェイクアップしたときにワイヤレス端末が同調した基地局の識別子と比較してチェックすることにより行われる。ステップ２１５のテスト結果がＹＥＳの場合には、ワイヤレス端末は同一のページングエリヤ内にいることを示し、この時点では何のアクションもとる必要はない。そのため制御は２０７に戻って本発明のプロセスは上記したように継続する。
【００２７】
ステップ２１５のテスト結果がＮＯの場合には、ワイヤレス端末は以前に割り当てられたページングエリヤ外に移動したことを示し、制御はステップ２１７に進む。そこでワイヤレス端末はアクティブモードに入る。即ち、ワイヤレス端末がウェイクアップしたときに同調していた基地局、例えば基地局１０３−２と双方向通信をするワイヤレスリンクを確立する。アクティブモードへのエントリーは、ウェイクアップしたときにワイヤレス端末が同調していた基地局へのハンドオフを行うためだけのものであり、これはステップ２１９で行われる。例えばハンドオフは、公知のプロトコルモバイル−インターネットプロトコルで行われる。
【００２８】
ウェイクアップしたときにワイヤレス端末が同調していた基地局が、今度はワイヤレス端末の現基地局となる。その結果、プロセスは２０３で継続され、この新たな現基地局が本発明によりワイヤレス端末の新たなページングエージェントとなる。
【００２９】
ワイヤレス端末に対しメッセージが存在する場合には、ワイヤレス端末は直ちにアクティブ状態になり、ステップ２２５で終了してメッセージを受領する。選択的事項として、前のページングエージェントにはハンドオフとページングエージェントの交代、即ちワイヤレス端末のページングエージェントからの離脱を通知する。
【００３０】
ステップ２１３のテスト結果がＹＥＳの場合には、ワイヤレス端末はページを受領しているために、このことはワイヤレス端末は依然としてページングエリヤ内にいることを示す。そのため制御はステップ２２１に進み、そこでワイヤレス端末はアクティブモードに入る。即ち、ワイヤレス端末がウェイクアップしたときに同調していた基地局との双方向通信のワイヤレスリンクが確立される。その後、条件ブランチポイント２２３でワイヤレス端末がウェイクアップしたときに同調していた基地局は、現在のページングエージェントであるか否かを決定するためにテストが行われる。ステップ２２３のテスト結果がＹＥＳの場合には、さらなるアクションは必要ではなく、本発明のプロセスはステップ２２５で終了する。その理由はワイヤレス端末はページに応答して必要とされる新たな通信に関係するからである。
【００３１】
ステップ２２３のテスト結果がＮＯの場合、本発明の制御は２２７に進み、そこでワイヤレス端末がウェイクアップしたときに同調していた基地局へのハンドオフを実行する。ワイヤレス端末がウェイクアップしたときに同調していた基地局が今度は新たな現基地局となる。その後このプロセスはステップ２２５で終了するが、端末は今度はページに応答して必要とされる通信に関係するからである。
【図面の簡単な説明】
【図１】本発明によるネットワーク構成を表す図
【図２】本発明によりページングエリヤを規定し、あるいは再度規定するためのフローチャート図
【符号の説明】
２０１  開始
２０３  現基地局がページングエージェントとなる
２０５  ページングエージェントはページングエリヤリストをワイヤレス端末に送る
２０７  ワイヤレス端末はスリープ状態に入る
２０９  ワイヤレス端末に対しメッセージが存在する場合には、ページングエージェントはページングエリヤ内の基地局にワイヤレス端末にページングを行うよう指示する
２１１  ワイヤレス端末がウェイクアップし、最適の基地局に同調する
２１３  ワイヤレス端末はページを受領したか
２１５  同一のページングエリヤ内にいるか
２１７  ワイヤレス端末がアクティブ状態になる
２１９  ワイヤレス端末が最適の基地局へのハンドオフを実行する
２２１  ワイヤレス端末がアクティブ状態となる
２２３  最適の基地局は現ページングエージェントか
２２５  終了
２２７  ワイヤレス端末は最適の基地局へのハンドオフを実行する
【図１】
0004545961.tif 000002
【図２】
0004545961.tif 000003